(57)【特許請求の範囲】
【請求項１】
吸込室及び吐出室を有する本体と、
前記吸込室及び前記吐出室に区分するピストン部、及び、前記ピストン部に接続されたピストンロッドを具備するピストン部材と、
回動可能に形成されるとともに前記ピストンロッドに接続され、回動により前記ピストン部材を移動させる操作レバーと、
前記本体に接続される第１部と、前記第１部に回動可能に接続されるとともに前記ピストンロッドに接続される第２部と、を有し、前記操作レバー及び前記ピストンロッドを連結し、前記操作レバーの回動を前記ピストンロッドの往復動に変換するリンク機構部と、を備え、
前記操作レバーは、前記リンク機構部の前記第１部と前記第２部との連結部位の一方側において、第１のカーブ、及び前記第１のカーブとは反対に湾曲する第２のカーブを有するとともに、前記回動の方向において反転可能に設けられ、反転によって、先端部の位置が変化し、
一の取付け状態における前記先端部の位置は、前記一の取付け状態に対して反転した向きである他の取付け状態における前記先端部の位置よりも、低い位置に配されることを特徴とする手押しポンプ。
【請求項２】
前記操作レバーの前記先端部に設けられるハンドルを備えることを特徴とする請求項１に記載の手押しポンプ。
【請求項３】
吸込室及び吐出室を有する本体と、
前記吸込室及び前記吐出室に区分するピストン部、及び、前記ピストン部に接続されたピストンロッドを具備するピストン部材と、
回動可能に形成され、第１のカーブ、及び前記第１のカーブとは反対に湾曲する第２のカーブを有し、前記回動の方向において反転可能に設けられる操作レバーと、
前記操作レバー及び前記ピストンロッドを連結し、前記操作レバーの回動を前記ピストンロッドの往復動に変換するリンク機構部と、
前記操作レバーの先端に着脱可能に構成される１以上のウェイト部材と、
を備え、
前記ウェイト部材の数の増減により重量が調節可能に構成されたウェイトユニットを備える手押しポンプ。
【請求項４】
吸込室及び吐出室を有する本体と、
前記吸込室及び前記吐出室に区分するピストン部、及び、前記ピストン部に接続されたピストンロッドを具備するピストン部材と、
回動可能に形成され、第１のカーブ、及び前記第１のカーブとは反対の方向に湾曲する第２のカーブを有するレバー部と、前記レバー部の一方側の第１の端部と、前記レバー部の他方側の第２の端部と、を有し、前記第２の端部は前記第１の端部の延長線よりも下方に位置する、操作レバーと、
前記操作レバー及び前記ピストンロッドを連結し、前記操作レバーの回動を前記ピストンロッドの往復動に変換するリンク機構部と、
前記操作レバーの先端に着脱可能に構成される１以上のウェイト部材と、
を備え、
前記ウェイト部材の数の増減により重量が調節可能に構成されたウェイトユニットを備えることを特徴とする手押しポンプ。
【請求項５】
前記操作レバーの先端部に設けられるハンドルを備え、
前記ウェイト部材は、前記ハンドルに着脱可能に構成されることを特徴とする請求項３または請求項４に記載の手押しポンプ。
【請求項６】
前記ウェイト部材は、前記操作レバーの先端部を保持可能な保持部と、前記操作レバーの延出方向に延び他のウェイト部材の前記保持部に保持される連結部と、を備え、前記他のウェイト部材と連結可能に構成されることを特徴とする請求項３または請求項４に記載の手押しポンプ。
【発明の詳細な説明】
【技術分野】
【０００１】
本発明は、液体の供給に用いる手押しポンプに関する。
【背景技術】
【０００２】
家庭用井戸や貯水槽等から水を供給するために、手押しポンプが用いられている。このような手押しポンプは、ピストンに設けられたピストンロッドを介してピストンをシリンダ内で往復動させるリンク機構及びリンク機構を駆動する操作レバーを設ける技術が知られている（例えば、特許文献１参照）。手押しポンプは、リンク機構により、操作レバーの上下方向の回動をピストンロッドの上下方向の往復動の運動に変換可能に形成される。手押しポンプは、ピストンを往復動させることにより、吸込室の容積を可変させるとともに、２つの弁体を交互に開閉し、吸込室の一次側から水を吸い込むとともに、吸込室の水を二次側の吐出室に揚水し、吐出室内の水を外部に吐出させる構成である。
【先行技術文献】
【特許文献】
【０００３】
【特許文献１】特開２００９−０１３８７６号公報
【発明の概要】
【発明が解決しようとする課題】
【０００４】
上述した手押しポンプでは、以下の問題があった。即ち、シリンダが大型になると、レバーの回動量が大きく、操作位置が高くなるため操作性が悪い。また、吸込室の変化量が大きくなると操作荷重が大きくなることから、操作荷重を低減させるために操作レバーを長くする場合もあるが、操作レバーの長さが長くなると操作性が悪くなる。
【０００５】
そこで本発明は、使用性が良い手押しポンプを提供することを目的としている。
【課題を解決するための手段】
【０００６】
前記課題を解決し目的を達成するために、本発明の手押しポンプは、次のように構成されている。
【０００７】
本発明の一態様によれば、手押しポンプは、吸込室及び吐出室を有する本体と、前記吸込室及び前記吐出室に区分するピストン部、及び、前記ピストン部に接続されたピストンロッドを具備するピストン部材と、回動可能に形成されるとともに前記ピストンロッドに接続され、回動により前記ピストン部材を移動させる操作レバーと、前記本体に接続される第１部と、前記第１部に回動可能に接続されるとともに前記ピストンロッドに接続される第２部と、を有し、前記操作レバー及び前記ピストンロッドを連結し、前記操作レバーの回動を前記ピストンロッドの往復動に変換するリンク機構部と、を備え、前記操作レバーは、前記リンク機構部の前記第１部と前記第２部との連結部位の一方側において、第１のカーブ、及び前記第１のカーブとは反対に湾曲する第２のカーブを有するとともに、前記回動の方向において反転可能に設けられ、反転によって、先端部の位置が変化し、一の取付け状態における前記先端部の位置は、前記一の取付け状態に対して反転した向きである他の取付け状態における前記先端部の位置よりも、低い位置に配されることを特徴とする。
【発明の効果】
【０００８】
本発明によれば、使用性が良い手押しポンプを提供することが可能となる。
【図面の簡単な説明】
【０００９】
【図１】本発明の第１の実施形態に係る手押しポンプの構成を示す説明図。
【図２】本発明の第２の実施形態に係る手押しポンプの構成を示す側面図。
【図３】同実施形態に係る操作レバーの構成を示す平面図。
【図４】本発明の第３の実施形態に係る操作レバーの構成を示す側面図。
【図５】同実施形態に係る操作レバーの構成を示す平面図。
【図６】本発明の第４の実施形態に係る操作レバーの構成を示す側面図。
【図７】同実施形態に係る操作レバーの構成を示す平面図。
【発明を実施するための形態】
【００１０】
（第１の実施形態）
以下、本発明の第１の実施形態に係る手押しポンプ１を、図１を用いて説明する。  
図１は本発明の第１の実施形態に係る手押しポンプ１の構成であって、ピストン部材１２が下死点側に位置する構成を示す断面図である。図１において、ピストン部材１２が上死点側に位置する場合の操作レバー１４の姿勢を二点鎖線で示している。
【００１１】
図１及び図２に示すように、手押しポンプ１は、本体１１と、本体１１の内部に往復動可能に設けられたピストン部材１２と、ピストン部材１２に連結されたリンク機構部１３と、リンク機構部１３に設けられた操作レバー１４と、本体１１に設けられた連通管３１と、を備えている。なお、手押しポンプ１は、ピストン部材１２の往復動による揚水機能、及び、後述する第１突起部２５ｂ及び第２突起部２６ｂによる降水機能を有する。
【００１２】
本体１１は、井戸等に、例えば水面に対して下端部が対向するように配置される。本体１１は、軸心が鉛直方向に沿って延設される筒状のシリンダ２１と、シリンダ２１の下端部に接続される吸込ケーシング２２と、シリンダ２１の上端部に接続される吐出ケーシング２３と、を備えている。
【００１３】
本体１１は、吸込ケーシング２２に設けられた第１逆止弁２５と、シリンダ２１及び吸込ケーシング２２間に設けられたカバー部材２６と、を備えている。
【００１４】
本体１１は、シリンダ２１及び吸込ケーシング２２の対向する端部、並びに、シリンダ２１及び吐出ケーシング２３の対向する端部に、それぞれフランジ部を有し、シール部材を介在させたフランジ部をボルト等の締結部材により締結することで、シリンダ２１、吸込ケーシング２２及び吐出ケーシング２３が一体に構成される。
【００１５】
このような本体１１は、ピストン部材１２とともに、シリンダ２１及び吸込ケーシング２２内に吸込室１１ａが形成される。また、本体１１は、ピストン部材１２とともに、シリンダ２１内及び吐出ケーシング２３に吐出室１１ｂが形成される。
【００１６】
シリンダ２１は、その内周面をピストン部材１２が摺動可能に形成されている。シリンダ２１は、内周面の表面粗さ及び軸心に対する円心度が所定の精度で形成される。なお、ここで、所定の精度とは、ピストン部材１２の往復動において、ピストン部材１２及びシリンダ２１の間の漏水、往復動時のピストン部材１２及びシリンダ２１の間の抵抗及び干渉、又は、ピストン部材１２の損傷等によるポンプ機能の低下を防止可能な精度であり、手押しポンプ１の性能に応じて適宜設定可能である。
【００１７】
吸込ケーシング２２は、椀状に形成され、上端部がシリンダ２１と同一の内径で開口し、下端部に吸込口２２ａを備えている。吸込ケーシング２２は、その内部に第１逆止弁２５を配置可能に形成されている。具体的には、吸込ケーシング２２は、吸込口２２ａの周囲の内面に、第１逆止弁２５を配置可能、且つ、第１逆止弁２５の移動を案内する複数のリブ２２ｂと、吸込口２２ａの周囲に形成された第１弁座２２ｃと、を備えている。
【００１８】
吸込ケーシング２２は、リブ２２ｂ間の空間によって、第１弁座２２ｃを有する第１逆止弁２５の第１弁室２２ｄを構成する。吸込口２２ａは、例えば、水中に配設するホースを接続可能に、その内周面にねじ部２２ｅが形成される。吸込口２２ａは、第１弁室２２ｄに連通する。
【００１９】
吸込ケーシング２２の下端部は、井戸等の手押しポンプ１の設置部に設置された基部に固定されている。
【００２０】
吐出ケーシング２３は、下端部がシリンダ２１と同一の内径で開口する椀状に形成される。吐出ケーシング２３は、その側面の一部に形成された吐出口２３ａと、吐出ケーシング２３の上端に設けられた孔部２３ｂと、孔部２３ｂに設けられた軸封部材２３ｃと、吐出ケーシング２３の外面に設けられた支持部２３ｄと、吐出ケーシング２３の外面に設けられた規制部材２３ｅと、を備えている。
【００２１】
孔部２３ｂは、ピストン部材１２の後述するピストンロッド４１を挿入可能、且つ、軸封部材２３ｃを配置可能に形成されている。また、孔部２３ｂは、軸封部材２３ｃを固定するとともに、規制部材２３ｅを支持する蓋体２３ｆと、を備えている。
【００２２】
軸封部材２３ｃは、ピストンロッド４１を摺動可能に支持する。また、軸封部材２３ｃは、ピストンロッド４１のラジアル方向の荷重を支持可能に形成されている。軸封部材２３ｃは、吐出ケーシング２３及びピストンロッド４１の間に介在することで、吐出ケーシング２３及びピストンロッド４１の間を密封する。軸封部材２３ｃは、例えば、水質に影響を与えない樹脂材料により形成されている。
【００２３】
支持部２３ｄは、リンク機構部１３の一部を支持可能に形成されている。
【００２４】
規制部材２３ｅは、樹脂材料により円環状に形成され、ピストンロッド４１に着脱可能に形成されている。規制部材２３ｅは、ピストンロッド４１を挿入した状態で、蓋体２３ｆに支持される。規制部材２３ｅは、蓋体２３ｆに支持されるとともに、ピストン部材１２の後述する連結部４３と当接可能に形成されている。
【００２５】
規制部材２３ｅは、連結部４３と当接することで、ピストンロッド４１の移動を規制可能に形成されている。なお、規制部材２３ｅは、軸心方向の長さが、例えば、ピストン部材１２が下死点に到達する手前でピストンロッド４１の移動を規制可能な長さに形成されている。
【００２６】
第１逆止弁２５は、第１弁座２２ｃと当接する第１弁体２５ａと、第１弁体２５ａのピストン部材１２と対向する面の略中心から斜上方に突出し、カバー部材２６からその先端が突出する第１突起部２５ｂと、を備えている。第１逆止弁２５は、第１弁室２２ｄ内に設けられ、第１弁座２２ｃと当接可能に形成されている。
【００２７】
カバー部材２６は、円板状に形成されている。カバー部材２６は、水の流路を形成するとともに、その一部に第１突起部２５ｂを配置可能な複数の孔部２６ａと、ピストン部材１２と対向する面の略中央に設けられた第２突起部２６ｂと、を備えている。カバー部材２６は、シリンダ２１及び吸込ケーシング２２間に設けられる。
【００２８】
連通管３１は、一端がシリンダ２１の側部に接続され、他端が吐出ケーシング２３の側部に接続されている。連通管３１は、ピストン部材１２が上死点と下死点との間の所定位置にある時に吸込室１１ａと吐出室１１ｂとを連通する。
【００２９】
ピストン部材１２は、ピストンロッド４１と、このピストンロッド４１の下端側に接続されたピストン部４２と、ピストンロッド４１の上端側に設けられた連結部４３とを備えている。
【００３０】
ピストンロッド４１は、円柱棒状に形成され、下端部にピストン部４２が固定される。ピストンロッド４１は、その外周面の少なくとも軸封部材２３ｃと摺動する部位の表面粗さが、所定の精度に形成されている。ピストンロッド４１は、吐出室１１ｂから孔部２３ｂ及び軸封部材２３ｃを介して本体１１の外部へ延設される。
【００３１】
ピストン部４２は、ピストンロッド４１の下端側に接続されたピストンヨーク４５と、ピストンヨーク４５に設けられ、シリンダ２１の内周面を摺動可能に形成されたピストン４６と、ピストン４６をピストンヨーク４５に固定するピストン押え４７と、ピストン押え４７に設けられた第２逆止弁４８と、を備えている。
【００３２】
ピストンヨーク４５は、例えばピストンロッド４１を中心に一定の間隔を有する配置で複数、例えば四方向に分岐して延設される。
【００３３】
ピストン４６は、例えばゴム等の樹脂材料で形成され、弾性変形可能に形成されている。ピストン４６は、その上部が開口する椀状に形成されるとともに、その下部の一部が開口して形成される。ピストン４６は、シリンダ２１の内部を液密に区分し、且つ、シリンダ２１の内周面を摺動可能に形成される。ピストン４６は、シリンダ２１の内部を吸込室１１ａ及び吐出室１１ｂに区分可能に形成されている。
【００３４】
ピストン押え４７は、ピストン４６を支持するとともに、ピストン４６をピストンヨーク４５と挟持することで、ピストンロッド４１にピストン４６を固定する。ピストン押え４７は、中央部に形成され、ピストン４６の開口よりも小径の開口部４７ａと、吐出ケーシング２３と対向する開口部４７ａの周囲の面に形成された第２弁座４７ｂと、を備えている。
【００３５】
ピストン押え４７は、開口部４７ａにより、吸込室１１ａ及び吐出室１１ｂを連通可能に形成されている。ピストン押え４７は、第１逆止弁２５の第１突起部２５ｂの先端と当接可能に形成されている。ピストンヨーク４５及びピストン押え４７は、その対向する空間に、第２弁座４７ｂを有する第２弁室４２ａを構成する。
【００３６】
第２逆止弁４８は、第２弁室４２ａ内に設けられ、第２弁座４７ｂと当接可能に形成されている。また、第２逆止弁４８は、カバー部材２６の第２突起部２６ｂと当接可能に形成されている。
【００３７】
連結部４３は、リンク機構部１３と連結可能に形成されている。連結部４３は、ピストンロッド４１の端部に固定されている。連結部４３は、外径がピストンロッド４１の外径よりも大径に形成され、規制部材２３ｅと当接可能に形成されている。
【００３８】
リンク機構部１３は、第１リンク部材５１と、第２リンク部材５２と、を備えている。
【００３９】
第１リンク部材５１は、その長手方向の両端部が、それぞれ支持部２３ｄ及び第２リンク部材５２に連結軸１３ａにより連結される。第１リンク部材５１は、板状に形成され、支持部２３ｄに連結軸１３ａを中心に回動可能に支持される。
【００４０】
第２リンク部材５２は、連結部４３及び第１リンク部材５１に連結軸１３ａにより連結される。第２リンク部材５２は、板状に形成され、連結部４３及び第１リンク部材５１に対して回動可能に、連結部４３及び第１リンク部材５１に支持される。第２リンク部材５２は、長手方向の一端に連結部４３が連結され、長手方向の他端に操作レバー１４が接続されるブラケット１５を有している。また、第２リンク部材５２は、その中途部に第１リンク部材５１が連結される。
リンク機構部１３は、操作レバー１４及びピストンロッド４１を連結し、操作レバー１４の回動をピストンロッド４１の往復動に変換する。
【００４１】
操作レバー１４は、所定の長さを有する棒状の部材であり、ブラケット１５によって第２リンク部材５２の端部に接続されている。
【００４２】
操作レバー１４は、長手方向の中央に配されるレバー部１４ａと、レバー部１４ａの一端側に配される第１端部１４ｂと、レバー部１４ａの他端側に配される第２端部１４ｃと、を一体に連続して備える。また、操作レバー１４は両面に延出方向に沿う溝１４ｄが形成され、中央部分が薄肉に構成されている。
【００４３】
レバー部１４ａは、中途部位に設けられた変曲部の一端側の部位と、変曲部の他端側の部位とが逆方向にカーブする緩やかなＳ字形状を呈する。すなわち、レバー部１４ａは、第１のカーブと、第１のカーブとは反対に湾曲する第２のカーブとを有する。
【００４４】
第１端部１４ｂは、直線状に構成され、ブラケット１５に挿入可能に形成されている。第１端部１４ｂには、対向する複数箇所に締結部材１６が螺合するねじ孔１４ｆが設けられている。ねじ孔１４ｆは第１端部１４ｂの長手方向に２つずつそれぞれ形成されている。すなわち、操作レバー１４は、ブラケット１５への挿入の際に回動方向の前後における向きを任意に設定でき、設置の向きが回動方向において反転可能に構成されている。したがって、使用者は例えば設置部位のスペースや操作性を考慮してカーブの形状を任意の向きに設定することができる。
【００４５】
第２端部１４ｃは直線状に構成されている。第２端部１４ｃの先端位置には、操作レバー１４の回動方向及び延出方向に対して直交する軸に沿う孔部１４ｈを有する管状部１４ｇが形成されている。
【００４６】
図１に実線で示される第１の取付け状態において、操作レバー１４は、レバー部１４ａの一端側の部位が回動の上昇側に凸となり、他端側の部位が回動の下降側に凸となるカーブ形状となる。この第１の取付け状態において、操作レバー１４の先端部分である第２端部１４ｃは、ブラケット１５に挿入される基端部分である第１端部１４ｂの延長線よりも、回動の下降側、すなわち下方にずれた位置に有る。
【００４７】
一方、図２に破線にて示す第２の取付け状態では、操作レバー１４は、レバー部１４ａの一端側の部位が回動の下降側に凸となり、他端側の部位が回動の上昇側に凸となるカーブ形状となる。この取付け状態において、操作レバー１４の先端部分である第２端部１４ｃは、ブラケット１５に挿入される第１端部１４ｂの延長線よりも、回動の上昇側、すなわち上方にずれた位置に有る。
【００４８】
すなわち、第１の取付け状態では、第２の取付け状態と比べて、操作レバー１４の先端部分である第２端部１４ｃの高さが低い位置に配置されることとなる。
【００４９】
ブラケット１５は、第２リンク部材５２の端部に固定されている。ブラケット１５には操作レバー１４の第１端部１４ｂを収容可能な挿入穴１５ａが形成されている。ブラケット１５の少なくとも回動方向一方側の面には、ねじ孔１４ｆに連通するねじ孔１５ｂが形成されている。ブラケット１５は、第１端部１４ｂを挿入穴１５ａに収容した状態で締結部材が螺合されることで、操作レバー１４をリンク機構部１３に接続する。
【００５０】
次に、手押しポンプ１を用いて水源、例えば井戸等から水を揚水する場合の動作説明をする。
【００５１】
手押しポンプ１の使用開始時においては、吸込室１１ａ内に空気が存在することから、先ず、吸込室１１ａ内を水で充満させる、所謂自吸を行う。当該自吸を行う場合には、先ず、使用者は、操作レバー１４を操作し、ピストン部材１２を往復動させる。具体的には、操作レバー１４が上方に位置し、ピストン部材１２が下死点側に位置する場合には、使用者は、操作レバー１４を操作し、操作レバー１４の端部を下方に回動させる。
【００５２】
この操作により、操作レバー１４は、第１リンク部材５１の端部を中心に回動し、連結部４３が上方に移動する。これにより、ピストンロッド４１は、軸心方向に沿って上方へ移動し、ピストン部４２が上死点側に移動する。ピストン部４２が上死点側に向かって移動すると、ピストン部４２、シリンダ２１、吸込ケーシング２２、第１逆止弁２５及び第２逆止弁４８で形成される吸込室１１ａの容積が増加する。
【００５３】
このとき、吸込口２２ａは、第１逆止弁２５により閉塞されているとともに、開口部４７ａは、第２逆止弁４８により閉塞されている。このため、ピストン部４２が上死点側に移動して吸込室１１ａの容積が増加すると、吸込室１１ａの圧力が減少する。第１逆止弁２５の一次側の圧力が吸込室１１ａの圧力よりも高くなると、換言すると、吸込室１１ａの圧力が負圧になると、第１逆止弁２５が上方に移動して開状態となり、吸込口２２ａが開口する。これにより吸込室１１ａに水が流入する。
【００５４】
また、ピストン部４２が一定の位置より上に位置すると、連通管３１によって吸込室１１ａと吐出室１１ｂとが連通するため、吸込室１１ａと吐出室１１ｂの圧力が一定より低下することが防止されることとなる。
【００５５】
このように、ピストン部４２が上死点まで移動するまで、吸込室１１ａに水が揚水される。なお、このとき、第２逆止弁４８は、第２弁座４７ｂに当接した状態、即ち、第２逆止弁４８は、ピストン押え４７の開口部４７ａを閉塞している。このため、吐出室１１ｂへの水や空気の移動が規制される。
【００５６】
ピストン部４２が上死点に位置する際、第１取付け状態における操作レバー１４の先端の位置の高さＬ１は、カーブ方向を反転させた第２取付け状態の操作レバー１４の先端の位置の高さＬ０と比べ、低い位置に配置されている。
【００５７】
次に、使用者は、操作レバー１４を操作し、操作レバー１４を上方に回動させる。操作レバー１４が上方に回動すると、第２リンク部材５２は、第１リンク部材５１と連結される連結軸１３ａを中心に連結部４３と連結される連結軸１３ａが下方に移動するように回動し、結果、ピストンロッド４１が下方に移動する。
【００５８】
ピストンロッド４１が下方に移動することで、ピストン部４２が下死点側に移動する。ピストン部４２が下死点側へ移動すると、吸込室１１ａの容積が減少し、吸込室１１ａ内の圧力が増加する。吸込室１１ａ内の圧力が吐出室１１ｂ内の圧力よりも高くなると、換言すると、吸込室１１ａの圧力が大気圧よりも高くなると、第２逆止弁４８が上方に移動して開状態となり、開口部４７ａが開口する。これにより、吸込室１１ａ内の空気及び水が吐出室１１ｂに流入する。さらにピストン部４２が移動し、下死点側に移動すると、ピストン部４２が下死点に到達する前に、規制部材２３ｅに連結部４３が当接し、ピストン部４２の移動が規制される。
【００５９】
第１取付け状態において、揚水時の操作レバー１４の最高高さＨ１は、カーブ方向を反転させた第２取付け状態の操作レバー１４の最高高さＨ0と比べ、低い位置に配置されている。
【００６０】
このように、ピストン部４２が下死点側に移動することで、吐出室１１ｂに水が揚水されるとともに、吸込室１１ａ内の空気が吐出室１１ｂに移動する。使用者は、吸込室１１ａ内に水が充満するまで、操作レバー１４を繰り返し回動させる。
【００６１】
このように操作レバー１４を繰り返し回動し、吸込室１１ａが水で充満されたら、自吸が完了となる。以後、使用者は、同様に、操作レバー１４を往復動させることで、ピストン部４２を往復動させ、水を揚水することが可能となる。
【００６２】
次に、手押しポンプ１を使用後、降水機能により、吸込室１１ａ及び吐出室１１ｂに溜まった水を降水させる動作を説明する。  
手押しポンプ１による揚水終了後、本体１１内の水を降水させる場合には、先ず、規制部材２３ｅを蓋体２３ｆ及びピストンロッド４１から取り外す。次に、操作レバー１４を上方へと回動させる。このとき、連結部４３が蓋体２３ｆと当接し、操作レバー１４の移動が規制されるまで、操作レバー１４を回動させる。
【００６３】
この操作レバー１４の回動により、ピストン部４２が下死点へと移動し、ピストン押え４７の下面及び第１逆止弁２５の第１突起部２５ｂ、並びに、カバー部材２６の第２突起部２６ｂ及び第２逆止弁４８の下面がそれぞれ当接する。
【００６４】
第１逆止弁２５の第１突起部２５ｂがピストン押え４７により押圧されると、第１突起部２５ｂが第１逆止弁２５の中心より偏心した位置で下方に押圧される。これにより、第１逆止弁２５が傾斜し、第１弁体２５ａは、その下面の一部を除いて第１弁座２２ｃから離間することで、第１逆止弁２５が強制的に開放され、吸込口２２ａが吸込室１１ａと連通する。
【００６５】
同様に、第２逆止弁４８の下面が第２突起部２６ｂにより押圧されると、第２逆止弁４８が第２弁座４７ｂから離間し、第２逆止弁４８が強制的に開放され、吸込室１１ａが吐出室１１ｂと連通する。
【００６６】
このように、第１逆止弁２５及び第２逆止弁４８をそれぞれ強制的に開放させることで、吸込口２２ａから吐出室１１ｂまでが連続する１つの空間となり、本体１１内に溜まった水が降水する。
【００６７】
降水終了後、操作レバー１４を操作してピストン部４２を下死点から上死点側に移動させ、規制部材２３ｅをピストンロッド４１に設け、蓋体２３ｆ上に配置する。これにより、第１逆止弁２５及び第２逆止弁４８が閉状態となり、次回の手押しポンプ１の使用が可能な待機状態となる。
【００６８】
このような構成の手押しポンプ１によれば、第１の取付け状態にある操作レバー１４は、中途部位に設けられた変曲部の先端側の部位が回動の上昇側に凸となり、変曲部の基端側の部位が回動の下降側に凸となるカーブ形状であり、操作レバー１４の揚水時の最高到達点が低くなる。すなわち、上記実施形態に係る操作レバー１４は、同じ長さの直線形状の操作レバーを設けた場合と比べて、最高到達点の高さＨ１が低い位置にある。また、上記実施形態に係る操作レバー１４の最高到達点は、図１に破線で示すように逆方向にカーブする構造と比べて、最高到達点の高さが低い位置にある。このため、揚水時の最高到達地点を低くすることで、作業者の身長等の条件に関わらず操作レバー１４の操作性を向上できるという効果が得られる。
【００６９】
また、上記実施形態に係る手押しポンプ１は第１端部に対向配置される複数の締結用のねじ孔１４ｆを設けることで、カーブ形状の操作レバー１４を反転可能に構成した。したがって、操作レバー１４の姿勢を任意に設定することができる。また、既存の手押しポンプのカーブ形状を調整することも可能となる。したがって、設置場所や揚程高さなどの各種条件に応じて、操作レバーの最高到達点や最低到達点の位置を調整することが可能となり、操作レバー１４の操作性や安全性を向上できる。
【００７０】
（第２の実施形態）
次に、本発明の第２の実施形態に係る手押しポンプ１Ａについて、図２及び図３を用いて説明する。なお、第２の実施形態に係る手押しポンプ１Ａにおいて、上述した第１の実施形態に係る手押しポンプ１と同様の構成について、同一の符号を付し、その詳細な説明は省略する。
【００７１】
図２は、本発明の第２の実施形態に係る手押しポンプ１Ａの構成を示す側面図であり、図３は手押しポンプ１Ａの操作レバー１４の先端部位の構成を一部断面で示す平面図である。図２において、操作レバー１４の下降時を実線で示し、他の回動位置にある場合を二点鎖線で示す。
【００７２】
本実施形態に係る手押しポンプ１Ａは、本体１１と、本体１１の内部に往復動可能に設けられたピストン部材１２と、ピストン部材１２に連結されたリンク機構部１３と、リンク機構部１３に設けられた操作レバー１４と、本体１１に設けられた連通管３１と、操作レバー１４の先端部に設けられたハンドル６１と、ウェイトユニット６２と、を備えている。
【００７３】
ハンドル６１は、操作レバー１４の先端部に形成された孔部１４ｈに挿入される棒状の部材であって、ハンドル６１の両端部分が操作レバー１４の両側に突出している。ハンドル６１は、回動方向及び延出方向に対して直交する軸を有している。ハンドル６１の両端部分を両手で把持することで、使用者は、操作レバー１４の最外端を両手で昇降操作することが可能である。
【００７４】
ウェイトユニット６２は、複数のウェイト部材６３と、ウェイト部材６３を操作レバー１４に固定する固定部材６４と、を備えている。
【００７５】
ウェイト部材６３は、ハンドル６１が挿入可能に形成された挿入孔６３ａを有する円盤状に構成されている。
【００７６】
固定部材６４は、ハンドル６１が挿入可能な内径を有する環状部６４ａと、環状部６４ａの一端に一体に形成されたフランジ部６４ｂと、を備えている。固定部材６４には、環状部６４ａの周壁の所定位置を貫通するボルト孔６４ｃが形成されている。
【００７７】
ウェイト部材６３の挿入孔６３ａにハンドル６１が通るようにハンドル６１の周りにウェイト部材６３を装着し、ハンドル６１の軸方向端部側に固定部材６４を装着し、ボルト等の締結部材６５で固定部材６４をハンドル６１に締結することで、ウェイトユニット６２が操作レバー１４の先端部分に固定される。
【００７８】
ウェイトユニット６２のウェイト部材６３は着脱可能であり、ウェイトユニット６２は、ウェイト部材６３の設置数の増減により重量が調節可能に構成されている。
【００７９】
本実施形態にかかる手押しポンプ１Ａによれば、両側に突出するハンドル６１を設けたことにより、操作レバー１４の最外端を両手で把持して操作することが可能となり、操作性が向上する。
【００８０】
また、本実施形態に係る手押しポンプ１Ａによれば、ハンドル６１とウェイトユニット６２の重量によって、ピストン部４２の下降方向に負荷をかけることで、自吸時に吸込室１１ａ内に空気が存在するときに、吸込室１１ａ内の容積が増大して負圧になったとしても、当該負圧によるピストン部材１２の下死点側への移動の抵抗となり、ピストン部材１２が急激に下死点側に移動することを防止できる。
【００８１】
即ち、負圧によって吸込室１１ａ内の圧力が吐出室１１ｂ内の圧力（大気圧）よりも低圧になると、吸込室１１ａ及び吐出室１１ｂの圧力差によって、ピストン部材１２が下死点側に移動する。この際、ウェイトユニット６２とハンドル６１の重みにより移動の力を低減し、緩やかにピストン部材１２が移動することとなる。このため、ピストン部４２が急激に下死点側へと移動することが防止され、操作レバー１４が跳ね上がることを抑制できる。したがって、操作時の安全性が高くなる。なお、使用開始時の負荷が大きい時にウェイトユニット６２を設け、揚水が開始された後にウェイトユニット６２を取り外してもよい。
【００８２】
（第３の実施形態）
次に、本発明の第３の実施形態に係る手押しポンプ１Ｂについて、図４及び図５を用いて説明する。なお、第３の実施形態に係る手押しポンプ１Ｂにおいて、上述した第１及び第２の実施形態に係る手押しポンプ１、１Ａと同様の構成について、同一の符号を付し、その詳細な説明は省略する。
【００８３】
図４は、本発明の第３の実施形態に係る手押しポンプ１Ｂの操作レバー１４の先端部の構成を一部を断面で示す側面図であり、図５は操作レバー１４の先端部の構成を示す平面図である。
【００８４】
本実施形態に係る手押しポンプ１Ｂは、本体１１と、本体１１の内部に往復動可能に設けられたピストン部材１２と、ピストン部材１２に連結されたリンク機構部１３と、リンク機構部１３に設けられた操作レバー１４と、本体１１に設けられた連通管３１と、操作レバー１４の先端部に取付けられるウェイトユニット７１と、ウェイトユニット７１に取付けられるハンドル７２と、を備えている。
【００８５】
ウェイトユニット７１は、第１のウェイト部材７３と、第１のウェイト部材７３に外装される第２のウェイト部材７４と、固定部材７５と、を備えている。
【００８６】
第１のウェイト部材７３は、円板状のウェイト部７３ａと、ウェイト部７３ａの一方側に一体に設けられる一対の固定片を有する固定部７３ｂと、ウェイト部７３ａの他方側に一体に設けられハンドル７２が挿入される挿入穴を有する支持部７３ｃと、を有している。
【００８７】
操作レバー１４の先端部を挟む一対の固定片７３ｅには、締結部材７６用のねじ孔７３ｆと、締付部材７７用のねじ孔７３ｇとが、並列して形成されている。ねじ孔７３ｆは孔部１４ｈに連通する。一対のねじ孔７３ｆと孔部１４ｈとに挿入される締結部材７６によって、一対の固定片７３ｅが操作レバー１４にねじ留めされる。また、操作レバー１４には締付部材７７用のねじ孔が形成されており、一対の固定片７３ｅのねじ孔７３ｇに挿入される締付部材７７によって、操作レバー１４の所定位置に一対の固定片７３ｅが固定される。
【００８８】
支持部7３ｃは、ハンドル７２が挿入可能な内径の挿入穴７３ｇを備える円管状に構成されている。支持部７３ｃの周壁の所定位置には締結部材用のねじ孔７３ｈが形成されている。
【００８９】
第２のウェイト部材７４は、第１のウェイト部材７３の支持部７３ｃが挿入可能な内径の貫通孔７４ａを有する円盤状に構成されている。
【００９０】
第２のウェイト部材７４は、支持部７３ｃに外装され、固定部材７５によって支持部７３ｃに固定される。第２のウェイト部材７４は、着脱可能であり、第２のウェイト部材７４の設置数の増減によりウェイトユニット７１の重量が調節可能に構成されている。
【００９１】
固定部材７５は、支持部７３ｃを挿入可能な径を有する円管部７５ｂと、第１のウェイト部材７３または第２のウェイト部材７４の主面に当接する環状のフランジ部７５ａと、を一体に有している。固定部材７５の円管部７５ｂには締結部材７８用のねじ孔７５ｃが形成されている。
【００９２】
操作レバー１４の先端部に第１のウェイト部材７３を接続し、支持部７３ｃの外周に固定部材７５を装着し、さらに必要に応じて第２のウェイト部材７４を支持部７３ｃの外周に装着した状態で、締結部材７８で固定部材７５をハンドル７２に締結することで、ハンドル７２とウェイト部材７３，７４が固定される。なお、第２のウェイト部材７４を装着しない場合には、第１のウェイト部材７３の操作レバー１４の先端側の主面に対して、固定部材７５が固定され、あるいは固定部材７５は取り外される。
【００９３】
ハンドル７２は、棒状の部材であって、一端側が支持部７３ｃに挿入されて支持され、他端側が操作レバー１４の延出方向に突出している。使用者は、ハンドル７２の把持し、操作レバー１４の最外端の昇降操作を両手で行うことが可能である。
【００９４】
本実施形態にかかる手押しポンプ１Ｂにおいても、上記第２実施形態と同様の効果が得られる。すなわち、ハンドル７２とウェイトユニット７１の重量によって、ピストン部４２の下降方向に負荷をかけることで、ピストン部４２が急激に下死点側へと移動することが防止され、操作レバー１４が跳ね上がることを防止できる。したがって、操作時の安全性が高くなる。
【００９５】
また、ピストン部材１２を往復動させる力は、操作レバー１４の長さによって変化する
が、本実施形態にかかる手押しポンプ１Ｂによれば、操作レバー１４の延出方向に延びるハンドル７２によって支点から力点までの距離を延長できるため、操作の負荷を減らして操作性を向上することも可能となる。
【００９６】
（第４の実施形態）
次に、本発明の第４の実施形態に係る手押しポンプ１Ｃについて、図６及び図７を用いて説明する。なお、第４の実施形態に係る手押しポンプ１Ｃにおいて、上述した第１乃至第３の実施形態に係る手押しポンプ１、１Ａ、１Ｂと同様の構成について、同一の符号を付し、その詳細な説明は省略する。
【００９７】
図６は、本発明の第４の実施形態に係る手押しポンプ１Ｃの操作レバー１４の先端部の構成を示す側面図であり、図７は操作レバー１４の先端部の構成を示す平面図である。なお図６においては前方のウェイト部材８１を断面で示し、図７においては後方のウェイト部材８１のリッド８３を一部省略している。
【００９８】
本実施形態に係る手押しポンプ１Ｃは、本体１１と、本体１１の内部に往復動可能に設けられたピストン部材１２と、ピストン部材１２に連結されたリンク機構部１３と、リンク機構部１３に設けられた操作レバー１４と、本体１１に設けられた連通管３１と、ウェイトユニット８０と、を備える。
【００９９】
ウェイトユニット８０は、操作レバー１４の先端部に設けられた１以上のウェイト部材８１を備える。
【０１００】
ウェイト部材８１は、操作レバー１４の先端部を保持する保持部としてのスリット８２ａを形成するウェイト部８２と、ウェイト部８２に組付けられるリッド８３とを備えている。ウェイト部８２は、操作レバー１４または他のウェイト部８２に連結可能に構成されている。
【０１０１】
ウェイト部８２は、円形の外形を有し、外周の一部から操作レバー１４の延出方向に延びる連結部８２ｂと、保持部としてのスリット８２ａと、を有している。
【０１０２】
連結部８２ｂは、操作レバー１４の先端部位と同様の形状に構成されている。具体的には、連結部８２ｂは、一方に延びる棒状部材であって、先端部位に孔部１４ｈと平行な軸を有する円管状部及び孔部８２ｄを備えている。ウェイト部８２は、連結部８２ｂが他のウェイト部材８１のスリット８２ａに収容されることで、他のウェイト部材８１と連結可能に構成されている。
【０１０３】
スリット８２ａは、操作レバー１４の先端部位及び他のウェイト部材８１の連結部８２ｂの先端部位に対応する形状に構成される。スリット８２ａは、操作レバー１４の孔部１４ｈ及び孔部８２ｄに係合するボス８２ｃを有している。ボス８２ｃには締結部材が挿入されるねじ孔８２ｅが形成されている。
【０１０４】
リッド８３は円形状に構成され、ウェイト部８２のスリット８２ａを塞ぐようウェイト部８２に対向配置される。リッド８３は、ボス８２ｃに対向する位置にボス８３ａを一体に有している。ボス８３ａには軸方向に挿入される締結部材８４が螺合するねじ孔８３ｂが形成されている。
【０１０５】
操作レバー１４の先端をスリット８２ａに収容し、スリット８２ａの開口を塞ぐようにリッド８３をウェイト部８２に対向配置し、ボルト等の締結部材によってねじ孔８２ｅ，８３ｂを固定することで、ウェイト部材８１が操作レバー１４に固定される。また、ウェイト部材８１はその連結部８２ｂが別のウェイト部８２のスリット８２ａに収容されて連結される構成であるため、操作レバー１４の延出方向において任意の数のウェイト部材８１を連結することが可能である。したがって、ウェイトユニット８０の重量は、ウェイト部材８１の増減によって調節可能になっている。また連結するウェイト部材８１の数の増減によって、操作レバー１４の延出方向の長さも調節可能である。
【０１０６】
本実施形態にかかる手押しポンプ１Ｃにおいても、上記第３実施形態と同様の効果が得られる。すなわち、ウェイトユニット８０の重量によって、ピストン部４２の下降方向に負荷をかけることで、ピストン部４２が急激に下死点側へと移動することが防止され、操作レバー１４が跳ね上がることを抑制できる。したがって、操作時の安全性が高くなる。
【０１０７】
また、ウェイトユニット８０の重量を増減することで、揚水開始前後の操作負荷に応じて操作レバー１４の負荷を調整できるため、より操作性のよい組み合わせが設定できる。
【０１０８】
また、ピストン部材１２を往復動させる力は、操作レバー１４の長さによって変化する
が、本実施形態にかかる手押しポンプ１Ｃによれば、操作レバー１４の延出方向に延びるウェイト部材８１の増減によって作用点の位置を調節することができ、操作の負荷を減らして操作性を向上することも可能となる。
【０１０９】
なお、本発明は前記実施の形態に限定されるものではない。例えば、上述した手押しポンプ１，１Ａ，１Ｂ、１Ｃは、降水機能を有している構成を説明したが、これに限定されない。手押しポンプ１，１Ａ，１Ｂ、１Ｃは、第１突起部２５ｂ及び第２突起部２６ｂを備えず、降水機能を有さない構成であってもよい。降水機能を有さない手押しポンプとすることで、例えば凍結の虞のない温暖地域で使用する場合には、手押しポンプの製造コストをより低減させることが可能となる。また手押しポンプ１，１Ａ，１Ｂ、１Ｃは、例えば連通管３１を備えない構成であってもよい。
この他、本発明の要旨を逸脱しない範囲で種々変形実施可能である。
以下に、本願出願の当初の特許請求の範囲に記載された発明を付記する。
［１］
吸込室及び吐出室を有する本体と、
前記吸込室及び前記吐出室に区分するピストン部、及び、前記ピストン部に接続されたピストンロッドを具備するピストン部材と、
回動可能に形成され、第１のカーブ、及び前記第１のカーブとは反対に湾曲する第２のカーブを有し、前記回動の方向において反転可能に設けられる操作レバーと、
前記操作レバー及び前記ピストンロッドを連結し、前記操作レバーの回動を前記ピストンロッドの往復動に変換するリンク機構部と、
を備えることを特徴とする手押しポンプ。
［２］
吸込室及び吐出室を有する本体と、
前記吸込室及び前記吐出室に区分するピストン部、及び、前記ピストン部に接続されたピストンロッドを具備するピストン部材と、
回動可能に形成され、第１のカーブ、及び前記第１のカーブとは反対の方向に湾曲する第２のカーブを有するレバー部と、前記レバー部の一方側の第１の端部と、前記レバー部の他方側の第２の端部と、を有し、前記第２の端部は前記第１の端部の延長線よりも下方に位置する、操作レバーと、
前記操作レバー及び前記ピストンロッドを連結し、前記操作レバーの回動を前記ピストンロッドの往復動に変換するリンク機構部と、
を備えることを特徴とする手押しポンプ。
［３］
前記操作レバーの先端部に設けられるハンドルを備えることを特徴とする［１］または［２］記載の手押しポンプ。
［４］
前記操作レバーの先端に着脱可能に構成される１以上のウェイト部材を備え、前記ウェイト部材の数の増減により重量が調節可能に構成されたウェイトユニットを備えることを特徴とする［１］乃至［３］のいずれか記載の手押しポンプ。
［５］
前記操作レバーの先端部に設けられるハンドルを備え、
前記ウェイト部材は、前記ハンドルに着脱可能に構成されることを特徴とする［４］記載の手押しポンプ。
［６］
前記ウェイト部材は、前記操作レバーの先端部を保持可能な保持部と、前記操作レバーの延出方向に延び他のウェイト部材の前記保持部に保持される連結部と、を備え、前記他のウェイト部材と連結可能に構成されることを特徴とする［４］記載の手押しポンプ。
【符号の説明】
【０１１０】
１、１Ａ、１Ｂ、１Ｃ…手押しポンプ、１１…本体、１１ａ…吸込室、１１ｂ…吐出室、１２…ピストン部材、１３…リンク機構部、１３ａ…連結軸、１４…操作レバー、１４ａ…レバー部、１４ｂ…第１端部、１４ｃ…第２端部、１４ｄ…溝、１４ｆ…ねじ孔、１４ｈ…孔部、１５…ブラケット、２１…シリンダ、２２…吸込ケーシング、２２ａ…吸込口、２２ｂ…リブ、２３…吐出ケーシング、４１…ピストンロッド、４２…ピストン部、４５…ピストンヨーク、４６…ピストン、５１…第１リンク部材、５２…第２リンク部材、６１、７２…ハンドル、６２、７１、８０…ウェイトユニット、６３、７３、８１…ウェイト部材。
【図１】
0006634221.tif 000002
【図２】
0006634221.tif 000003
【図３】
0006634221.tif 000004
【図４】
0006634221.tif 000005
【図５】
0006634221.tif 000006
【図６】
0006634221.tif 000007
【図７】
0006634221.tif 000008